(57)【要約】      （修正有）【課題】体液吸収量を充分維持しながら生理用ナプキンの装着感を改善する。【解決手段】透液性トップシート２、不透液性バックシート３およびこれらの間に設けられた吸収体４とを有する生理用ナプキン１において、吸収体に高吸収性ポリマーを含有した不織布シートを用い，総重量を２．０ｇ／枚以下とし、且つ生理食塩水中に５分間浸漬し、次いで生理食塩水中から引き上げて５分間静置して水切りした後の重量増加量として定まる吸収量を２０ｇ／枚以上とする。【選択図】図１
2004298288.tif 000002
【特許請求の範囲】
【請求項１】
透液性トップシート、不透液性バックシートおよびこれらの間に設けられた吸収体とを有する生理用ナプキンにおいて、
総重量が２．０ｇ／枚以下とされ、且つ
生理食塩水中に５分間浸漬し、次いで生理食塩水中から引き上げて５分間静置して水切りした後の重量増加量として定まる吸収量が２０ｇ／枚以上とされている、ことを特徴とする生理用ナプキン。
【請求項２】
不透液性バックシートと、これよりも幅の狭い透液性トップシートと、これらバックシート及びトップシート間に設けられた吸収体と、トップシートの両脇部上面およびバックシートの両脇部上面に跨り、かつトップシートおよびバックシートにそれぞれ固定された防漏材と、前記トップシート及び吸収体間、前記吸収体およびバックシート間、トップシートおよび防漏材間、ならびに防漏材およびバックシート間をそれぞれ接着するための接着剤と、バックシートの外面に設けられたズレ止め粘着剤とを有し、かつ弾性伸縮部材を有しない生理用ナプキンであって、
厚さが１ｍｍ以下、長さが１８〜２０ｃｍ、および幅が６〜１０ｃｍとされており、
前記表面シートは０．４０ｇ以下、前記バックシートは０．２５ｇ以下、前記吸収体は１．０ｇ以下、前記防漏材は０．１５ｇ以下、前記接着剤は０．１５ｇ以下、および前記粘着剤は０．１３ｇ以下の重量範囲から選択され、総重量が２．０ｇ／枚以下とされており、かつ
生理食塩水中に５分間浸漬し、次いで生理食塩水中から引き上げて５分間静置して水切りした後の重量増加量として定まる吸収量が２０ｇ／枚以上とされている、ことを特徴とする生理用ナプキン。
【請求項３】
前記吸収体として、不織布およびこれに固着された高吸収性ポリマーからなり、不織布の坪量が１６〜１９ｇ／ｍ２とされ且つ高吸収性ポリマーの含有量が０．７〜０．８ｇとされている高吸収性ポリマーシートが用いられている、請求項２記載の生理用ナプキン。
【請求項４】
請求項２または３記載の生理用ナプキンとこれを個別包装する包装シートとからなり、
前記生理用ナプキンは三つ折りされた状態で前記包装シートにより包まれており、かつ厚さが２ｍｍ以下とされている、ことを特徴とする生理用ナプキン。
【発明の詳細な説明】
【０００１】
【発明の属する技術分野】
本発明は、装着感の向上を図った生理用ナプキンに関する。
【０００２】
【従来の技術】
生理用ナプキンの装着感を左右する要素としては、例えば身体の動きに追従する全体的柔軟性、身体と接触する部分の柔軟性及び平滑性、身体と接触する部分のフィット性がある。
【０００３】
従来の生理用ナプキンの開発においては、これらの観点から装着感の良いものを創出する努力がなされてきた（例えば特許文献１参照）。
【特許文献１】
特開２００２‐２３８９４８号公報
【０００４】
【発明が解決しようとする課題】
しかしながら、従来、様々な製品開発がなされてきたが、生理用ナプキンの装着感は依然として不十分であり、新規な視点からの改善が望まれている。
【０００５】
そこで、本発明の主たる課題は、装着感に優れる生理用ナプキンを提供することにある。
【０００６】
【課題を解決するための手段】
本発明者らは、装着感に対する従来の考え方から脱するべく、生理用ナプキン以外の体液吸収性物品までを対象とし、先入観を捨てて可能な限り純粋に装着感に関する官能評価を行った。その結果、股下部における違和感という点に限ってみると、紙おむつやパンティライナー（おりものシート）の装着感が生理用ナプキンよりも良く感じられる場合があることを知見した。パンティライナーに関する結果はある程度予測していたが、紙おむつの結果は全く予想外であった。
【０００７】
パンティライナーは生理用ナプキンと比べるとサイズ・重さ・柔軟性等の点で著しく異なるため、これだけでは何が装着感に効いているか不明であったが、紙おむつまでも検討対象に加えたことで、次のような知見を得た。すなわち、従来の生理用ナプキンは、それを支持する下着等と比べて重量が依然として重く、下着が下方に引き下げられること及び下着等との一体感が乏しいことによる違和感が、装着感に対して重大な影響を及ぼしていたのである。
【０００８】
従来から漠然とした軽量化の指向は存在していたが、近時の技術進展により生理用ナプキンの重量は極限まで軽量化されており、それ以上の軽量化が生理用ナプキンの装着感の更なる改善をもたらすことまでは全く想定されていなかった。
また生理用ナプキンの分野では、装着感に対しては薄さの影響が大きいという通念もあった。そのため、上記のような結論は全く予期せぬことであった。
【０００９】
本発明に係る生理用ナプキンは、かかる知見に基づいてなされたものであって、透液性トップシート、不透液性バックシートおよびこれらの間に設けられた吸収体とを有する生理用ナプキンにおいて、
総重量が２．０ｇ／枚以下とされ、且つ
生理食塩水中に５分間浸漬し、次いで生理食塩水中から引き上げて５分間静置して水切りした後の重量増加量として定まる吸収量が２０ｇ／枚以上とされている、ことを特徴とするものである。なお、本明細書中の数値は、全て未使用状態におけるものであることをここに付言する。
【００１０】
生理用ナプキンは、もとより経血を吸収し保持することを基本とするものであるから、製品開発において吸収性能、とりわけ吸収量を顕著に損ねるようなことは通常想定しない。そのため、軽量化により吸収量を損ねることのないように、十分な余裕を持たせるのが従来の考え方であり、本発明範囲の総重量と吸収量の両者を兼ね備えたものは従来存在していない。
【００１１】
これに対して本発明は、上記従来の考え方から脱して、総重量の低下による装着感の改善及びそれに伴う吸収量低下の回避の双方を満足する範囲を見出したものであり、吸収性能の低下なく著しい装着感の改善効果が得られるものである。
【００１２】
本発明の生理用ナプキンは具体的には下記（イ）〜（ニ）次のような構成を採ることにより達成できる。
【００１３】
（イ）不透液性バックシートと、これよりも幅の狭い透液性トップシートと、これらバックシート及びトップシート間に設けられた吸収体と、トップシートの両脇部上面およびバックシートの両脇部上面に跨り、かつトップシートおよびバックシートにそれぞれ固定された防漏材と、前記トップシート及び吸収体間、前記吸収体およびバックシート間、トップシートおよび防漏材間、ならびに防漏材およびバックシート間をそれぞれ接着するための接着剤と、バックシートの外面に設けられたズレ止め粘着剤とを有し、かつ弾性伸縮部材を有しない構成。
【００１４】
（ロ）厚さが１ｍｍ以下、長さが１８〜２０ｃｍ、および幅が６〜１０ｃｍの構成。
【００１５】
（ハ）前記表面シートは０．４０ｇ以下、前記バックシートは０．２５ｇ以下、前記吸収体は１．０ｇ以下、前記防漏材は０．１５ｇ以下、前記接着剤は０．１５ｇ以下、および前記粘着剤は０．１３ｇ以下の重量範囲から選択され、総重量が２．０ｇ／枚以下の構成。
【００１６】
（ニ）生理食塩水中に５分間浸漬し、次いで生理食塩水中から引き上げて５分間静置して水切りした後の重量増加量として定まる吸収量が２０ｇ／枚以上とされている構成。
【００１７】
この場合における吸収体としては、不織布およびこれに固着された高吸収性ポリマーからなり、不織布の坪量が１６〜１９ｇ／ｍ２とされ且つ高吸収性ポリマーの含有量が０．７〜０．８ｇとされている高吸収性ポリマーシートが好適である。かかる高吸収性ポリマーシートは、繊維使用量および高吸収性ポリマー（以下、ＳＡＰともいう）の使用量が必要最小限とされているため、軽量である。しかも、それだけではなく、そのような必要最小限の使用量であってもＳＡＰの偏りが生じないため、使用量に応じた吸収性能が確実に発揮されるため、吸収量が損なわれることもない。つまり、軽量な割には十分な吸収量を有するものとなる。またそのため薄型化が容易である利点もある。
【００１８】
他方、かかる軽量薄型の生理用ナプキンを用いると、これを三つ折りし包装シートにより包んだ個別包装状態の厚さを２ｍｍ以下とすることができ、軽量・コンパクトで非常に携帯し易いものとなる。ちなみに、従来の生理用ナプキンを用いると、個別包装に際していくらナプキンを圧縮しても厚さ３ｍｍが限界である。またこの厚さの差は、一見すると大したことないように見えるかもしれないが、商品としての包装や携帯に際しては複数個重ねるのが常であり、このような厚さの差の影響は非常に大きい。
【００１９】
【発明の実施の形態】
以下、本発明の実施の形態について詳説する。
図１〜図３は、不透液性バックシート３と、これよりも幅の狭い透液性トップシート２と、これらバックシート３及びトップシート２間に設けられた吸収体４とを備えた本発明に係る生理用ナプキン例１を示している。
【００２０】
トップシート２としては、液透過性の不織布を用いても良いが、軽量化の観点からメッシュシートが好適に使用される。また、バックシートして３としてはポリエチレンフィルムが好適である。
【００２１】
さらに本発明の吸収体としては、フラッフパルプやエアレイド不織布、またはこれらにＳＡＰ粒子を非固定状態で分散させた一般的なものを用いても良いが、軽さの割には吸収量の多い、不織布およびこれに固着された高吸収性ポリマーからなるＳＡＰシートが好適である。かかるＳＡＰシートとしては、例えば特公平７−７４２７７号公報や特公平７−６４８９６号公報に開示されたものを用いることができる。これらは、不織布等の繊維集合体にＳＡＰモノマーを噴霧等により付与し、しかる後、この繊維表面に付与されたモノマーを重合させて複合構造の吸収体を得るものである。本発明では、不織布の坪量が１６〜１９ｇ／ｍ２であり、かつＳＡＰ含有量が０．７〜０．８ｇであるＳＡＰシートが好適に用いられる。この範囲外では、軽量にしても十分な吸収量を確保できしかも薄型化が容易であるといった、ＳＡＰシートを用いることの利点が損なわれる。
【００２２】
また、本ナプキン例１では、トップシート２の両脇部上面およびバックシート３の両脇部上面間に跨り、それらに対してそれぞれ固定された防漏材５を有する。かかる防漏材は、トップシート２を通じて移動する体液が生理用ナプキン両脇から漏れ出るのを防止するためのものであり、肌に接触する個所であるため撥水性不織布が好ましい。また本実施形態の生理用ナプキンは、軽量化のため、弾性伸縮部材は有しないものとされている。
【００２３】
そして、トップシート２及び吸収体４間、並びに吸収体４及びバックシート３間についてはスパイラル状に塗布されたホットメルト接着剤Ｂ１を介して、また、トップシート２及び防漏材５間、ならびに防漏材５及びバックシート３間については物品前後方向に沿って直線状に塗布されたホットメルト接着剤Ｂ２を介して接着されている。さらに、バックシート３の外面には下着に対して物品を着脱自在に固定するためのズレ止め粘着剤ＡＤが塗布されている。これら接着剤及び粘着剤としては公知のものを用いることができる。
【００２４】
かかる構成を有する生理用ナプキン１においては、表面シート２は０．４０ｇ以下、バックシート３は０．２５ｇ以下、吸収体４は１．０ｇ以下、防漏材５は０．１５ｇ以下、ホットメルト接着剤Ｂ１，Ｂ２は合計０．１５ｇ以下、および粘着剤ＡＤは０．１３ｇ以下の重量範囲内で設計・選択すると、生理用ナプキンとしての機能を損ねることなく、比較的容易に本発明の総重量範囲である２．０ｇ／枚以下を達成できる。
【００２５】
他方、かかる重量配分や総重量を達成しても、吸収量が不足するようでは全く意味がない。よって、本発明の生理用ナプキン１では、生理食塩水中に５分間浸漬し、次いで生理食塩水中から引き上げて５分間静置して水切りした後の重量増加量として定まる吸収量が２０ｇ／枚以上とされる。かかる吸収量は、吸収体４の設計・選択により定めることができる。特に、軽量性、薄さおよび吸収量を満足するものが得られる観点から所定のＳＡＰシートが好適である点については前述したとおりである。
【００２６】
また、生理用ナプキン１の重量や吸収量の設計に際しては、そのサイズが一つの障壁となるが、かといって生理用ナプキン１として使用できないものとなっては意味がない。また、重量による装着感の向上効果を更に顕著なものとする上で、特に製品厚さは非常に重要である。よって、本発明の生理用ナプキン１は、厚さＴｎが１ｍｍ以下、長さＬが１８〜２０ｃｍ、および幅Ｗが６〜１０ｃｍの範囲内にあることが望まれる。
【００２７】
さらに、予め吸収体にトップシートおよびバックシートの少なくとも一方を貼り付けてなる複合吸収体は、単体の吸収体や単体のシートと比べて強度が高くなる。よって、かかる複合吸収体をナプキン製造段階で供給するようにすると、吸収体およびそれに貼付されたシートの必要強度が少なくて済むため、これら吸収体やシートを更に軽量・薄型のものにすることができる。よって、本発明ではかかる複合吸収体を用いるのも好ましく、この場合より一層の軽量化および薄型化を図ることができる。
【００２８】
他方、かかる軽量薄型の生理用ナプキン１においては、図５に示すようにナプキン１を三つ折りし、ポリエチレンフィルム等からなる包装シート１０により包み個別包装とした状態で、その厚さを２ｍｍ以下とすることができる。このために、個別包装に際し、ナプキンを三つ折りとした後から包装シートにより包むまでの間に２ｍｍ未満まで圧縮することができる。かくして、軽量・コンパクトで非常に携帯し易い個別包装体Ｐとなる。
【００２９】
【実施例】
（実験１）図４に、フラッフパルプのみからなる吸収体シート、エアレイド不織布のみからなる吸収体シート、ならびに不織布の坪量が１６〜１９ｇ／ｍ２であり、かつＳＡＰ含有量が０．７〜０．８ｇであるＳＡＰシートの、シート１ｇ当りの吸収量測定結果を示した。このことから、不織布の坪量が１６〜１９ｇ／ｍ２であり、かつＳＡＰ含有量が０．７〜０．８ｇであるＳＡＰシートが最も軽量、薄型で吸収量の多い吸収体を製造できることが判明した。
【００３０】
（実験２）図１〜図３に示す構造を有する生理用ナプキンを、重量を変化させて各種製造した。実施例３は予め薄く軽量なトップシートを吸収体に貼付してなる複合吸収体を用いて製造したものであり、実施例４は予め薄く軽量なバックシートを吸収体に貼付してなる複合吸収体を用いて製造したものである。重量以外、例えば各種資材の種類は共通とした。そして製造した生理用ナプキンを実際に被験者５０人に使用してもらい、最も装着感に優れるものを選択してもらった。
実験に用いた各種ナプキンの構成および官能評価結果を表１に示す。
【００３１】
【表１】
2004298288.tif 000003
【００３２】
【発明の効果】
以上のとおり、本発明によれば著しく装着感が向上する等の利点がもたらされる。
【図面の簡単な説明】
【図１】本発明に係る生理用ナプキンの展開状態を示す平面図である。
【図２】図１のＩＩ−ＩＩ縦断面図である。
【図３】本発明に係る生理用ナプキンの要部破断斜視図である。
【図４】吸収体の種類別に、シート１ｇ当りの吸収量を表したグラフである。
【図５】本発明に係る生理用ナプキンの個別包装体を示す斜視図である。
【符号の説明】
１…生理用ナプキン、２…トップシート、３…バックシート、４…吸収体、５…防漏材、１０…包装シート。
【図１】
2004298288.tif 000004
【図２】
2004298288.tif 000005
【図３】
2004298288.tif 000006
【図４】
2004298288.tif 000007
【図５】
2004298288.tif 000008